(57)【要約】【課題】被チャック孔の内端において完全に密閉してロール内の錆を封じ込めることができ、量産性があり製作コストが安い、スリーブ形ロール用のゴム製錆封じ込め具。【解決手段】円錐筒部１aと、円形板部１bと、円環部１dを備えたゴム成形品である。円錐筒部１aの大径端の直径Ｄ1は、キー溝２ｂの底面内端に一致する円径の直径Ｄ2よりも大きく、円環部１cの内径Ｄ3は、チャックコーンとの干渉を避けることができ、円環部１dには、切欠き１eがあり、キー４との干渉を避けることができる。【選択図】  図３
2005035236.tif 000002
【特許請求の範囲】
【請求項１】
大径端の直径がグラビア印刷用のスリーブ形の被製版ロール又は印刷ロールの端面の被チャック孔に刻設されたキー溝の底面内端に一致する円径の直径よりも所要大きい円錐筒部と、該円錐筒部の小径端を閉塞している円形板部と、該円錐筒部の大径端より内方に円環状に張り出していて内径が前記被チャック孔の内端の孔径よりも僅かに大きくかつ前記キー溝に嵌合して進入するキーとの干渉を避けるように切欠きを有する円環部とを備えて成形されていることを特徴とするスリーブ形ロール用のゴム製錆封じ込め具。
【発明の詳細な説明】
【技術分野】
【０００１】
本願発明は、スリーブ形の被製版ロール又は印刷ロールの内面の錆の剥離があってもロールを立てて若干斜めにして転がして移動しても外部へ出ないように封止することができて、かつ封止状態で製版や印刷が行なえる、スリーブ形ロール用のゴム製錆封じ込め具に関する。
【背景技術】
【０００２】
スリーブ形の被製版ロール又は印刷ロールの内面の錆の剥離があって外部へ出ると、製版上、及び印刷上様々な不具合が生じる。ロールを立てて若干傾斜させて転がして行くと、ロールの内面より剥離した錆が製版室の床に落ちる。この錆は、ロボットや人の移動に伴う風で散らばって飛ばされ或いは空気中に浮遊・飛散することがある。この錆が、僅かでも感光膜コーティングの工程において被製版ロールに付着すると、感光膜コートができないピンホールとなり、グラビア版では、そこが被画線部であると、ピンホールセルが生じ、画線部になってしまうことになる。又、印刷ロールを輪転機に両端チャック状態に組み突けるときに、ロールの内面より剥離した錆がインキ皿内に落ちるときは、インキが錆で汚れて、印刷に汚れが出るとともに、ドクターが錆を掻き取る際に刃こぼれすることがある。
【特許文献１】特開２００１−１２９９６１号公報  特開２００１−１２９９６１号公報に示す発明の錆封じ込め具は、撓ませて製版又は印刷に先行して被製版ロール又は印刷ロールの両端の被チャック孔を通してロール内に挿入してロール内周面を突っ張るように係止させるものであり、もってロール内面に錆の剥離があってもロールを立てて若干斜めにして転がして移動しても外部へ出ないように封止することができて、かつ封止状態で製版や印刷が行なえる。
【発明の開示】
【発明が解決しようとする課題】
【０００３】
特開２００１−１２９９６１号公報の発明は、製作に手間がかかりコストが比較的高く付く。また、ロール内部を完全に密閉するものでないので、錆の微粉末がスポンジを通過したり、フランジ内面に存在する錆を封じ込めることができない。
【０００４】
本願発明は、被チャック孔の内端において完全に密閉してロール内の錆を封じ込めることができ、量産性があり製作コストが安い、スリーブ形ロール用のゴム製錆封じ込め具を提供することを目的としている。
【課題を解決するための手段】
【０００５】
本願発明は、大径端の直径がグラビア印刷用のスリーブ形の被製版ロール又は印刷ロールの端面の被チャック孔に刻設されたキー溝の底面内端に一致する円径の直径よりも所要大きい円錐筒部と、該円錐筒部の小径端を閉塞している円形板部と、該円錐筒部の大径端より内方に円環状に張り出していて内径が前記被チャック孔の内端の孔径よりも僅かに大きくかつ前記キー溝に嵌合して進入するキーとの干渉を避けるように切欠きを有する円環部とを備えて成形されていることを特徴とするスリーブ形ロール用のゴム製錆封じ込め具を提供するものであり、
撓ませて製版又は印刷に先行して被製版ロール又は印刷ロールの両端の被チャック孔を通してロール内に挿入して接着剤を介してフランジ内面に固着させるものであり、もって被チャック孔の内端において完全に密閉してロール内の錆を封じ込めることができ、ロール内面に錆の剥離があってもロールを立てて若干斜めにして転がして移動しても外部へ出ないように封止することができて、かつ封止状態で製版や印刷が行なえる。
【発明の効果】
【０００６】
本願発明のスリーブ形ロール用のゴム製錆封じ込め具は、ゴム製であるので、円形板部をロール内方に向けてかつ円錐筒部を撓ませて被チャック孔を通して被製版ロール内に収容できて、該収容後は円錐筒部が円錐形に復元し円環部をしてロールのフランジ内面にキーとの干渉を避けて接着できて、被チャック孔の内端において完全に密閉してロール内の錆を封じ込めることができるから、スリーブ形の被製版ロール又は印刷ロールの内面の錆の剥離があっても外部へ出ないように完全に封止することができて、かつ封止状態で製版や印刷が行なえるから錆の付着に起因するピンホールや汚れを回避できる。
本願発明のスリーブ形ロール用のゴム製錆封じ込め具は、ゴム製成形品として製造できるから量産性があり単価を特開２００１−１２９９６１号公報に示す発明の錆封じ込め具に比べて著しく引き下げられる有利な効果がある。
【発明を実施するための最良の形態】
【０００７】
スリーブ形ロール用のゴム製錆封じ込め具の最良の形態は、円錐筒部の小径端を円形板部が閉塞し、又、円錐筒部の大径端に短い円筒部があって円筒部の端より内方に円環部が円環状に張り出し、円錐筒部の高さ半分における外径が円環部の内径に略等しい大きさであり、従って、多数のゴム製錆封じ込め具を積み重ねてストックできる構成である。
【実施例１】
【０００８】
図１は、ゴム製錆封じ込め具の縦断面図であり、図２は、図１におけるII−II矢視図であり、図３は、ゴム製錆封じ込め具を被製版ロール又は印刷ロールのフランジ内面に接着した状態を示す縦断面図である。
ゴム製錆封じ込め具１は、円錐筒部１aの小径端を円形板部１bにより閉塞しているとともに、円錐筒部１aの大径端に円筒部１cを延ばしてから円環部１dを備えた一体形状で厚みが１〜２ｍｍ位の可撓性がありかつ円錐筒部１aに縮径するように撓ませられた後の復元力が大きく円錐形を保持する腰の強さを有するゴム成形品として形成される。
円錐筒部１aの大径端の直径Ｄ1は、グラビア印刷用のスリーブ形の被製版ロール又は印刷ロール２のフランジの被チャック孔２ａに刻設されたキー溝２ｂの底面内端に一致する円径の直径Ｄ2よりも例えば２０ｍｍ大きい。
円筒部１c の長さは指が入り込む程度の長さで足りる。円筒部１cは必須ではない。
円環部１dの内径Ｄ3は、被チャック孔２ａの内端の孔径Ｄ4よりも例えば２ｍｍ大きく、被チャック孔２ａに嵌合してロールを支持するチャックコーン３との干渉を避けることができる。
円環部１dには、切欠き１ｅがあり、キー溝２ｂに嵌合して進入するキー４との干渉を避けることができる。
ゴム製錆封じ込め具１のロールのフランジ内面への固着は、フランジ内面に接着剤を塗布してから、ゴム製錆封じ込め具１を撓ませて円形板部１bを先にして被チャック孔２ａを通してロール内に収容し切欠き１ｅをキー溝２ｂに合わせて円環部１dをフランジ内面に接着する。
なお、製版のときだけゴム製錆封じ込め具１を取りつける場合には、弱い接着剤を使用する。
【図面の簡単な説明】
【０００９】
【図１】ゴム製錆封じ込め具の縦断面図。
【図２】図１におけるII−II矢視図。
【図３】ゴム製錆封じ込め具を被製版ロール又は印刷ロールのフランジ内面に接着した状態を示す縦断面図。
【符号の説明】
【００１０】
１・・・ゴム製錆封じ込め具、１ａ・・・円錐筒部、１ｂ・・・円形板部、１ｃ・・・円筒部、１d・・・円環部、１ｄ・・・切欠き、２・・・グラビア印刷用のスリーブ形の被製版ロール又は印刷ロール、２ａ・・・被チャック孔、２ｂ・・・キー溝、３・・・チャックコーン、４・・・キー、
【図１】
2005035236.tif 000003
【図２】
2005035236.tif 000004
【図３】
2005035236.tif 000005